(57)【特許請求の範囲】
【請求項１】
身体の骨盤近傍の腰部の外周を包囲する態様で該身体に装着し骨盤の歪みを矯正する器具、及び／又は、身体の胸郭下部の外周を包囲する態様で該身体に装着し胸郭下部の歪みを矯正する器具を備える姿勢矯正器であって、
左右の寛骨の前側近傍の腹部に当接する寛骨前部圧迫部及び左右の寛骨の後側近傍の腰部に当接する寛骨後部圧迫部を、及び／又は、左右の胸郭下部の前側近傍に当接する胸郭前部圧迫部及び左右の胸郭下部の後側近傍に当接する胸郭後部圧迫部を備え、
前記寛骨前部圧迫部が、身体の前側の腹部又は胸郭下部の横方向の長さを有する略帯状体のフロントフレームと、該フロントフレームの内側の左側端部に配設した第一フロントパッド及び右側端部に配設した第二フロントパッドを備え、前記第一及び第二フロントパッドの身体への接触面形状が、左右の寛骨の前側を押圧し寛骨を前方外側から後方中央へ誘導可能に形成した傾斜面からなり、
前記寛骨後部圧迫部が、左右の寛骨の後部を圧迫可能な横方向の長さを有するバックフレームと、該バックフレームの内側の左側端部に配設した第一バックパッド及び右側端部に配設した第二バックパッドと、前記第一及び第二バックパッドの身体への接触面形状が、左右の寛骨の後側を押圧し寛骨を後方外側から中央へ誘導可能に形成した傾斜面からなり、
前記胸郭前部圧迫部が、前記フロントフレームの内側の左側端部に配設した第三フロントパッド及び右側端部に配設した第四フロントパッドを備え、前記第三及び第四フロントパッドの身体への接触面形状が、左右の肋骨の前側を押圧し肋骨を前方から左右に拡張させる方向に誘導可能に形成した傾斜面からなり、
前記胸郭後部圧迫部が、左右の肋骨の後部を圧迫可能な横方向の長さを有するバックフレームと、該バックフレームの内側の左側端部に配設した第三バックパッド及び右側端部に配設した第四バックパッドと、前記第三及び第四バックパッドの身体への接触面形状が、左右の肋骨の後側を内側に向けて押圧し肋骨の前側が左右に拡張するように誘導可能に形成した傾斜面からなることを特徴とする姿勢矯正器。
【請求項２】
前記姿勢矯正器に、身体の前側の腹部又は胸郭下部の横方向の長さを有する略帯状体のフロントフレームと、該フロントフレームの外側の左側端部に上下に配設した二つの第一ベルト巻取り機構及び右側端部に上下に配設した二つの第二ベルト巻取り機構と、一端部が前記第一ベルト巻取り機構に締結され、他端部が前記第二ベルト巻取り機構に締結された二本の伸縮しない締付ベルトとを備えた身体の外周を包囲する態様で装着する身体装着具を備え、
身体の骨盤近傍の腰部の外周及び身体の胸郭下部の外周の２箇所の外周を包囲する場合は二つの前記身体装着具を構成要素とし、身体の骨盤近傍の腰部の外周又は身体の胸郭下部の外周の１箇所の外周を包囲する場合は一つの前記身体装着具を構成要素とすることを特徴とする請求項１に記載の姿勢矯正器。
【請求項３】
前記第一及び第二バックパッドの配設位置のバックフレームを挟んだそれぞれのバックフレームの外側の位置に前記２本の締付ベルトをそれぞれ上下で別々に挿通させるベルト挿通部を備え、該ベルト挿通部に前記締付ベルトを挿通させて左右の寛骨の後側を押圧し、及び／又は、
前記第三及び第四バックパッドの配設位置のバックフレームを挟んだそれぞれのバックフレームの外側の位置に前記２本の締付ベルトをそれぞれ上下で別々に挿通させるベルト挿通部を備え、該ベルト挿通部に前記締付ベルトを挿通させて左右の肋骨の後側を内側に向けて押圧することを特徴とする請求項１又は２に記載の姿勢矯正器。
【請求項４】
前記第一ベルト巻取り機構の上側の締付ベルトを巻き取る方向に操作をすると、身体の左側の第一又は第三フロントパッド、並びに／あるいは、第一又は第三バックパッドの上側が優先されて身体を締め付け、前記第一ベルト巻取り機構の下側の締付ベルトを巻き取る方向に操作をすると、身体の左側の第一又は第三フロントパッド、並びに／あるいは、第一又は第三バックパッドの下側が優先されて身体を締め付け、前記第二ベルト巻取り機構の上側の締付ベルトを巻き取る方向に操作をすると、身体の右側の第二又は第四フロントパッド、並びに／あるいは、第二又は第四バックパッドの上側が優先されて身体を締め付け、前記第二ベルト巻取り機構の下側の締付ベルトを巻き取る方向に操作をすると、身体の右側の第二又は第四フロントパッド、並びに／あるいは、第二又は第四バックパッドの下側が優先されて身体を締め付けることを特徴とする請求項２又は３に記載の姿勢矯正器。
【請求項５】
前記第一ベルト巻取り機構又は前記第二ベルト巻取り機構が前記フロントフレームに対して着脱自在としたことを特徴とする請求項２乃至４のいずれかに記載の姿勢矯正器。
【発明の詳細な説明】
【技術分野】
【０００１】
本発明は、骨盤や胸郭下部の歪みを矯正する姿勢矯正器に関するものである。
【背景技術】
【０００２】
腰痛の原因には、骨・関節・筋による腰痛、内蔵疾患による腰痛、加齢による腰痛などがある。このうち、骨・関節・筋による腰痛を解消させる技術として、例えば特許文献１には、ユーザーがベースに立ち、背部又は正面及び骨盤が実質的に痛みのない位置を見つけて、骨盤を支持パッドで圧迫して拘束する装置が開示されている。この技術は、ユーザーが背部を動かすときに脊椎及び骨盤が股関節の周りを回転しないようにし、脊椎自身の回転及び仙腸関節の骨盤の周りの回転となるようにするものである。
【先行技術文献】
【特許文献】
【０００３】
【特許文献１】特開２００８−２７２４４９号公報
【発明の概要】
【発明が解決しようとする課題】
【０００４】
腰痛のうち骨盤の歪みに起因するのは、例えば、仙骨と該仙骨の左右に隣接する寛骨との相互の位置関係が、どちらかの傾きによって位置ずれすることによるものであり、これによって仙腸関節がずれ、寛骨と仙骨との間の仙腸関節を中心に痛みが生じて腰痛となる。さらに、背骨のねじれにより胸郭全体が左右非対称になっていると、息を吸うときや身体をそらすときに胸郭の上位部が上方に移動した際に、その胸郭下部が左右に開くことなく上位部と共に上方に移動し、これにより骨盤又は腰椎に負荷を掛けてしまうことによっても腰痛を生じる。
【０００５】
特許文献１に記載の装置は、実質的に前屈または後屈中の痛みを消失させられる位置を見つけて骨盤を支持パッドで圧迫して拘束する技術であるため、例えば上記腰痛の原因である仙骨と該仙骨の左右に隣接する寛骨との相互の位置関係のずれを、歩行やゴルフスイング等の各人が手足を使った自由度の高い運動の中で矯正できないという問題があった。また、その拘束技術が不十分であり、骨盤と胸郭を確実に左右対称な位置関係に促す効果の点で不十分であった。
【０００６】
また、床に載置するベースや、そのベースから立設された脚部を備えるために大型であるので、設置スペースを必要とし、使用中は略直立姿勢で身体を拘束され続けるので使いにくいという問題があった。
【０００７】
本発明はこうした問題に鑑み創案されたもので、小型・軽量で使い勝手に優れ、腕を回す、前後屈、歩行、しゃがむ又はゴルフスイング等の各個人が手足を使った自由度の高い運動をしながら骨盤や胸郭下部の歪みを効果的に左右対称な位置関係に矯正して姿勢を矯正することのできる器具を提供することを課題とする。
【課題を解決するための手段】
【０００８】
本発明において、「内側」とは身体の正中線方向を意味し、「外側」とは身体の正中線から離れる側の方向を意味する。また、骨盤Ａは図７に示すように左右一対の寛骨Ｂ、仙骨Ｓ、尾骨と、これらを連結する恥骨結合や仙腸関節Ｊで構成され、胸郭Ｆは図１０に示すように左右の肋骨Ｇ、胸椎、胸骨で構成されている。
【０００９】
請求項１に記載の姿勢矯正器１は、身体の骨盤Ａ近傍の腰部の外周を包囲する態様で該身体に装着し骨盤Ａの歪みを矯正する器具、及び／又は、身体の胸郭Ｆ下部の外周を包囲する態様で該身体に装着し胸郭Ｆ下部の歪みを矯正する器具を備える姿勢矯正器１であって、
左右の寛骨Ｂの前側近傍の腹部に当接する寛骨前部圧迫部２及び左右の寛骨Ｂの後側近傍の腰部に当接する寛骨後部圧迫部３を、及び／又は、左右の胸郭Ｆ下部の前側近傍に当接する胸郭前部圧迫部４及び左右の胸郭Ｆ下部の後側近傍に当接する胸郭後部圧迫部５を備え、
前記寛骨前部圧迫部２が、身体の前側の腹部又は胸郭Ｆ下部の横方向の長さを有する略帯状体のフロントフレーム７と、該フロントフレーム７の内側の左側端部に配設した第一フロントパッド２０及び右側端部に配設した第二フロントパッド２１を備え、前記第一及び第二フロントパッド２０、２１の身体への接触面形状が、左右の寛骨Ｂの前側を押圧し寛骨Ｂを前方外側から後方中央へ誘導可能に形成した傾斜面２４からなり、
前記寛骨後部圧迫部３が、左右の寛骨Ｂの後部を圧迫可能な横方向の長さを有するバックフレーム８と、該バックフレーム８の内側の左側端部に配設した第一バックパッド３０及び右側端部に配設した第二バックパッド３１と、前記第一及び第二バックパッド３０、３１の身体への接触面形状が、左右の寛骨Ｂの後側を押圧し寛骨Ｂを後方外側から中央へ誘導可能に形成した傾斜面３４からなり、
前記胸郭前部圧迫部４が、前記フロントフレーム７の内側の左側端部に配設した第三フロントパッド２２及び右側端部に配設した第四フロントパッド２３を備え、前記第三及び第四フロントパッド２２、２３の身体への接触面形状が、左右の肋骨Ｇの前側を押圧し肋骨Ｇを前方から左右に拡張させる方向に誘導可能に形成した傾斜面２５からなり、
前記胸郭後部圧迫部５が、左右の肋骨Ｇの後部を圧迫可能な横方向の長さを有するバックフレーム８と、該バックフレーム８の内側の左側端部に配設した第三バックパッド３２及び右側端部に配設した第四バックパッド３３と、前記第三及び第四バックパッド３２、３３の身体への接触面形状が、左右の肋骨Ｇの後側を内側に向けて押圧し肋骨Ｇの前側が左右に拡張するように誘導可能に形成した傾斜面３５からなることを特徴とする姿勢矯正器。
【００１０】
請求項２に記載の姿勢矯正器１は、請求項１において、  前記姿勢矯正器に、身体の前側の腹部又は胸郭Ｆ下部の横方向の長さを有する略帯状体のフロントフレーム７と、該フロントフレーム７の外側の左側端部に上下に配設した二つの第一ベルト巻取り機構１０及び右側端部に上下に配設した二つの第二ベルト巻取り機構１１と、一端部が前記第一ベルト巻取り機構１０に締結され、他端部が前記第二ベルト巻取り機構１１に締結された二本の伸縮しない締付ベルト９とを備えた身体の外周を包囲する態様で装着する身体装着具６を備え、
身体の骨盤Ａ近傍の腰部の外周及び身体の胸郭Ｆ下部の外周の２箇所の外周を包囲する場合は二つの前記身体装着具６を構成要素とし、身体の骨盤Ａ近傍の腰部の外周又は身体の胸郭Ｆ下部の外周の1箇所の外周を包囲する場合は一つの前記身体装着具６を構成要素とすることを特徴とする。
【００１１】
請求項３に記載の姿勢矯正器１は、請求項１又は２において、前記第一及び第二バックパッド３０、３１の配設位置のバックフレーム８を挟んだそれぞれのバックフレーム８の外側の位置に前記２本の締付ベルト９をそれぞれ上下で別々に挿通させるベルト挿通部３６を備え、該ベルト挿通部３６に前記締付ベルト９を挿通させて左右の寛骨Ｂの後側を押圧し、及び／又は、
前記第三及び第四バックパッド３２、３３の配設位置のバックフレーム８を挟んだそれぞれのバックフレーム８の外側の位置に前記２本の締付ベルト９をそれぞれ上下で別々に挿通させるベルト挿通部３６を備え、該ベルト挿通部３６に前記締付ベルト９を挿通させて左右の肋骨Ｇの後側を内側に向けて押圧することを特徴とする。
【００１２】
請求項４に記載の姿勢矯正器１は、請求項２又は３において、前記第一ベルト巻取り機構１０の上側の締付ベルト９を巻き取る方向に操作をすると、身体の左側の第一又は第三フロントパッド２０、２２、並びに／あるいは、第一又は第三バックパッド３０、３２の上側が優先されて身体を締め付け、前記第一ベルト巻取り機構１０の下側の締付ベルト９を巻き取る方向に操作をすると、身体の左側の第一又は第三フロントパッド２０、２２、並びに／あるいは、第一又は第三バックパッド３０、３２の下側が優先されて身体を締め付け、前記第二ベルト巻取り機構１１の上側の締付ベルト９を巻き取る方向に操作をすると、身体の右側の第二又は第四フロントパッド２１、２３、並びに／あるいは、第二又は第四バックパッド３１、３３の上側が優先されて身体を締め付け、前記第二ベルト巻取り機構１１の下側の締付ベルト９を巻き取る方向に操作をすると、身体の右側の第二又は第四フロントパッド２１、２３、並びに／あるいは、第二又は第四バックパッド３１、３３の下側が優先されて身体を締め付けることを特徴とする。
【００１３】
請求項５に記載の姿勢矯正器１は、請求項２乃至４のいずれかにおいて、前記第一ベルト巻取り機構１０又は前記第二ベルト巻取り機構１１が前記フロントフレーム７に対して着脱自在としたことを特徴とする。
【発明の効果】
【００１４】
請求項１乃至４のいずれかに記載の姿勢矯正器１は、図８に示すように腰痛の原因となる左右の寛骨Ｂが回転して前後方向でずれて左右非対称になったり、左右の寛骨Ｂと中央の仙骨Ｓとがずれることによって左右いずれかの仙腸関節Ｊがずれている場合に、すなわち骨盤Ａに歪みが生じている場合に、寛骨前部圧迫部２によって左右の寛骨Ｂの前側の突起部分を前方から後方に押し寛骨Ｂを左右対称な状態に押し戻して姿勢を矯正したり、また寛骨後部圧迫部３によって仙骨Ｓと左右の寛骨Ｂとの境界に位置する左右の仙腸関節Ｊを身体の左右方向の外方向から身体の中心方向に押して、寛骨Ｂと仙骨Ｓとの位置ずれすなわち仙腸関節Ｊのずれを解消させて姿勢を矯正するという効果を奏する。
【００１５】
また、図１１に示すように腰痛の原因となる胸椎のねじれにより生ずる胸郭Ｆ下部が中心線Ｃに対してＸ方向にねじれて左右非対称になっている場合に、すなわち胸郭Ｆ下部に歪みが生じている場合に、または胸郭Ｆ下部が胸郭Ｆ上部と一体となって上方に移動する運動が習慣となっている場合に、胸郭前部圧迫部４によって左右の胸郭Ｆを前側から押して左右に胸郭Ｆが滑り広がるように誘導して左右非対称な胸郭Ｆが左右対称に側方へ拡張するようになり、また胸郭後部圧迫部５によって左右の肋骨Ｇの後側を内側に押圧し肋骨Ｇの前側が左右に拡張するように誘導して左右非対称な胸郭Ｆが左右対称になり、胸郭Ｆが左右対称になったことによって、呼吸や腕の回し等によって胸郭Ｆの上位部Ｒ１が上方に移動した際に、その下位部Ｒ２が左右に開くようになり骨盤Ａ又は腰椎に負荷を掛けなくなって姿勢を矯正するという効果を奏する。
【００１６】
左右の寛骨Ｂの前側近傍の腹部に当接する寛骨前部圧迫部２、左右の寛骨Ｂの後側近傍の腰部に当接する寛骨後部圧迫部３、左右の胸郭Ｆ下部の前側近傍に当接する胸郭前部圧迫部４、及び左右の胸郭Ｆ下部の後側近傍に当接する胸郭後部圧迫部５の四つの圧迫部のうちの少なくとも一つ以上の組み合わせを選択することによって、寛骨Ｂの左右非対称や胸郭Ｆ下部の左右非対称などの左右非対称の部位や症状の悪化状況に応じて適正な矯正を行うことができる。寛骨前部圧迫部２、寛骨後部圧迫部３、胸郭前部圧迫部４及び胸郭後部圧迫部５の四つの圧迫部を身体に装着するときが最も矯正力が高い。
【００１７】
また、上下で２箇所を左右にそれぞれ配設して計４箇所にベルト巻取り機構とを設けたことにより、寛骨前部圧迫部２、寛骨後部圧迫部３、胸郭前部圧迫部４及び胸郭後部圧迫部５のそれぞれ左右別に上位部分と下位部分の４箇所がそれぞれ身体に対する押圧を単独に自在に変えることができるという効果を奏する。これにより寛骨Ｂの左右非対称や仙腸関節Ｊのずれによる骨盤Ａの歪みや胸椎のねじれによる胸郭Ｆの歪みをより効果的に矯正することができる。
【００１８】
また、身体に装着した状態で歩行や体操など容易に動くことができるので、その動きと本発明の寛骨前部圧迫部２や寛骨後部圧迫部３による身体の特定の部位に対する押圧によって仙腸関節Ｊのずれすなわち骨盤Ａの歪みを効果的に矯正することができ、身体に装着した状態で呼吸、前後屈、腕を回すなどの動きと本発明の胸郭前部圧迫部４や胸郭後部圧迫部５による身体の特定の部位に対する押圧によって胸郭Ｆ下部の歪みを効果的に矯正することができる。これにより身体の姿勢を矯正することができる。
【００１９】
本発明である姿勢矯正器１を身体に装着したまま歩行や体操等の運動をすると、身体に押圧させていた寛骨前部圧迫部２、寛骨後部圧迫部３、胸郭前部圧迫部４又は胸郭後部圧迫部５の押圧力が弱まることが生じるが、そのときに寛骨前部圧迫部２、寛骨後部圧迫部３、胸郭前部圧迫部４又は胸郭後部圧迫部５のそれぞれの左上、左下、右上又は右下のうちの緩みを生じたポイントに絞って、該ポイントに関連するベルト巻取り機構を回転させて締付ベルト９を身体に締め付けて押圧力を高めることができるので、運動することにより骨盤Ａの歪みや胸郭Ｆ下部の歪みを効果的に矯正することができる。
【００２０】
さらに、極めて小型で軽量であるので、持ち運びが極めて容易であり、身体に装着して運動ができるなど使用勝手に極めて優れる。
【００２１】
請求項５に記載の姿勢矯正器１は、請求項１乃至４のいずれかに記載の発明と同じ効果を奏するとともに、さらに、第一ベルト巻取り機構１０又は第二ベルト巻取り機構１１をフロントフレーム７に対して着脱自在としたので、身体への装着及び身体からの取り外しを極めて容易に行うことができる。
【図面の簡単な説明】
【００２２】
【図１】本発明に係る姿勢矯正器の身体装着具を示す概要正面図である。
【図２】身体装着具の一方のベルト巻取り機構を取り外した状態を示す説明図である。
【図３】一つの身体装着具に前部圧迫部及び後部圧迫部を装着した姿勢矯正器の前方からの概要図である。
【図４】寛骨又は胸郭後部圧迫部を装着した姿勢矯正器の概要背面図である。
【図５】寛骨前部圧迫部又は胸郭前部圧迫部を装着したフロントフレーム部の概要平面図である。
【図６】寛骨後部圧迫部又は胸郭後部圧迫部を装着したバックフレーム部の概要平面図である。
【図７】骨盤の構成の説明図である。
【図８】骨盤の左右非対称の説明図である。
【図９】寛骨前部圧迫部及び寛骨後部圧迫部により骨盤の歪みを矯正している状態を示す説明図である（概要平面図）。
【図１０】胸郭の構成の説明図である。
【図１１】胸郭前部圧迫部及び胸郭後部圧迫部により胸郭の歪みを矯正している状態を示す説明図である（概要平面図）。
【図１２】使用者の骨盤近傍及び胸郭下部に姿勢矯正器を装着した状態を示す説明図である。
【発明を実施するための形態】
【００２３】
本発明の姿勢矯正器１は、図３、図９、図１１及び図１２に示すように、身体の骨盤Ａ近傍の腰部の外周を包囲する態様で該身体に装着し骨盤Ａの歪みを矯正する器具、及び／又は、身体の胸郭Ｆ下部の外周を包囲する態様で該身体に装着し胸郭Ｆ下部の歪みを矯正する器具を備える姿勢矯正器１であって、左右の寛骨Ｂの前側近傍の腹部に当接する寛骨前部圧迫部２、左右の寛骨Ｂの後側近傍の腰部に当接する寛骨後部圧迫部３、左右の胸郭Ｆ下部の前側近傍に当接する胸郭前部圧迫部４、及び左右の胸郭Ｆ下部の後側近傍に当接する胸郭後部圧迫部５の四つの圧迫部のうちの少なくとも一つ以上の組み合わせを備える。
【００２４】
したがって、姿勢矯正器１の組み合わせは、寛骨前部圧迫部２、寛骨後部圧迫部３、胸郭前部圧迫部４、胸郭後部圧迫部５、寛骨前部圧迫部２及び寛骨後部圧迫部３、寛骨前部圧迫部２及び胸郭前部圧迫部４、寛骨前部圧迫部２及び胸郭後部圧迫部５、寛骨後部圧迫部３及び胸郭前部圧迫部４、寛骨後部圧迫部３及び胸郭後部圧迫部５、胸郭前部圧迫部４及び胸郭後部圧迫部５、寛骨前部圧迫部２及び寛骨後部圧迫部３及び胸郭前部圧迫部４、寛骨前部圧迫部２及び寛骨後部圧迫部３及び胸郭後部圧迫部５、寛骨前部圧迫部２及び胸郭前部圧迫部４及び胸郭後部圧迫部５、寛骨後部圧迫部３及び胸郭前部圧迫部４及び胸郭後部圧迫部５、寛骨前部圧迫部２及び寛骨後部圧迫部３及び胸郭前部圧迫部４及び胸郭後部圧迫部５の１５通りの組み合わせがある。
【００２５】
寛骨前部圧迫部２又は寛骨後部圧迫部３は、例えば図８に示すような寛骨Ｂの左右非対称、仙腸関節Ｊのずれ等の骨盤Ａの歪みを矯正する効果を生じ、胸郭前部圧迫部４又は胸郭後部圧迫部５は、例えば図１１に示すような肋骨Ｇの左右非対称等の胸郭Ｆ下部の歪みを矯正する効果が生じる。そして、単独の圧迫部を身体に装着する場合は単一の骨の部位の歪みが小さい場合に適用でき、複数の圧迫部の組み合わせを身体に装着する場合は単一の骨の部位の歪みが大きい場合や複数箇所の骨の部位に歪みが発生している場合に適用するのがよいことから、骨盤Ａ近傍か胸郭Ｆ下部近傍かという部位に応じて、及び骨のずれ量や歪みの大きさに応じて姿勢矯正器１の組み合わせを行うのがよい。
【００２６】
本発明の姿勢矯正器１は、いずれの組み合わせであっても小型で軽量であるので、図１２に示すように身体に装着して使用できるので、姿勢矯正器１を装着して歪みが矯正された状態で腕回し、前後屈、足踏み、歩行又はスクワット等の簡単な体操ができ、全身の筋肉と脳に歪みのない関節での運動パターンを学習でき矯正効果が持続されやすい。
【００２７】
そして、本発明の姿勢矯正器１は、寛骨前部圧迫部２、寛骨後部圧迫部３、胸郭前部圧迫部４又は胸郭後部圧迫部５を身体の外周を包囲する態様で装着するための身体装着具６を備える。身体の骨盤Ａ近傍の腰部の外周及び身体の胸郭Ｆ下部の外周の２箇所の外周を包囲する場合は二つの身体装着具６を使用し、身体の骨盤Ａ近傍の腰部の外周又は身体の胸郭Ｆ下部の外周の１箇所の外周を包囲する場合は一つの身体装着具６を使用する。
【００２８】
身体装着具６は、図１に示すように、身体の前側の腹部又は胸郭Ｆ下部の横方向の長さを有する略帯状体のフロントフレーム７と、該フロントフレーム７の外側の左側端部に上下に配設した二つの第一ベルト巻取り機構１０及び右側端部に上下に配設した二つの第二ベルト巻取り機構１１と、一端部が前記第一ベルト巻取り機構１０に締結され、他端部が前記第二ベルト巻取り機構１１に締結された二本の伸縮しない締付ベルト９とを備えている。
【００２９】
フロントフレーム７は、身体の前面の腹部又は胸郭Ｆ下部に当接する正面視で帯状であり、平面視で直線状、円弧状又は屈曲状等であり帯状であればどんな形態でもよく、薄板状であるが硬質合成樹脂、硬質ゴム、アルミニウム等の非鉄金属や木材等の剛性を有する材料からなる。
【００３０】
第一ベルト巻取り機構１０及び第二ベルト巻取り機構１１は、フロントフレーム７の左右の上下に二つずつ配設されており、全四つのベルト巻取り機構はそれぞれ独立して作動するようになっている。第一ベルト巻取り機構１０及び第二ベルト巻取り機構１１は、ラチェット機構を取り入れハンドル操作で締付ベルト９を巻き取る機構、ハンドルを回転させて締付ベルト９を巻取ってストッパーで止める機構、又は手で締付ベルト９を巻き取って布製テープである面ファスナーで止める機構等であって締付ベルト９を巻き取ることが可能な機構であれば構造に制限なくどんなベルト巻取り機構でもよい。
【００３１】
そして、第一ベルト巻取り機構１０又は第二ベルト巻取り機構１１のいずれか一方を、フロントフレーム７に対して着脱自在としている。例えば、図２に示すように、当該第一ベルト巻取り機構１０を取付プレート５２に取付け、この取付プレート５２をフロントフレーム７に設けた係止突起５０に着脱自在に係合させることによって着脱自在としている。着脱自在にすることによって、身体に姿勢矯正器１を装着するときに、締付ベルト９の一端を自由端とすることができ容易に身体に姿勢矯正器１を装着しやすくなるという効果を奏する。
【００３２】
また、ラチェット機構を取り入れハンドル操作で締付ベルト９を巻き取る機構について説明する。図５に示すように、第一ベルト巻取り機構１０及び第二ベルト巻取り機構１１は、それぞれラチェットハンドル５３と、当該ラチェットハンドル５３に係脱自在なラチェット歯車５４と、ラチェット歯車５４の回転方向を一方側に規制する歯止めを備える。そして、ラチェットハンドル５３とラチェット歯車５４を係合させた状態でラチェットハンドル５３を、支持ピン５５を軸として回動させることによって、巻回状態にある締付ベルト９を巻き取って締め付けることができる。また、フロントフレーム７中央部に配設した解除レバー５１を操作して歯止めを全四つのラチェット歯車５４の係合からを一気に解除させることができる。
【００３３】
次に、締付ベルト９について説明する。締付ベルト９は、上下方向に二本設けられ、それぞれの一端部が上下方向でそれぞれ対応する第一ベルト巻取り機構１０に締結されると共に、他端部が上下方向でそれぞれ対応する第二ベルト巻取り機構１１に締結されている。また、その略中間部は寛骨後部圧迫部３又は胸郭後部圧迫部５を使用する形態の場合にはバックフレーム８を挿通している。なお、この挿通は、バックフレーム８の外側の面の両端部に締付ベルト９が自在に挿通できる大きさのベルト挿通部３６を形成することによって行っている。そして、締付ベルト９は、姿勢矯正器１を身体に装着してベルト巻取り機構による巻取る力によって伸縮しにくいベルトであればよく、植物繊維製ベルト、合成繊維製ベルト、革製ベルト又はアラミド繊維製ベルト等のいずれのベルトでもよい。
【００３４】
次に、寛骨前部圧迫部２、寛骨後部圧迫部３、胸郭前部圧迫部４及び胸郭後部圧迫部５について説明する。
【００３５】
まず、寛骨前部圧迫部２について説明する。寛骨前部圧迫部２は、図３や図５に示すように、第一フロントパッド２０及び第二フロントパッド２１からなる。第一フロントパッド２０は前記フロントフレーム７の身体側に当接する側の左側端部に配設され、第二フロントパッド２１は前記フロントフレーム７の身体側に当接する側の右側端部に配設される。そして、第一フロントパッド２０及び第二フロントパッド２１は、それぞれ正面視で少なくとも左右の寛骨Ｂを圧迫可能な大きさの面積を有する、四角形状、多角形状や楕円形状等の形状を有し、かつ平面視で該フロントフレーム７の中心側よりも端部側を身体側に傾斜させた傾斜面２４であって、前記第一及び第二フロントパッド２０、２１の身体への接触面形状が、左右の寛骨Ｂの前側を押圧し寛骨Ｂを前方外側から後方中央へ誘導可能に形成した傾斜面２４を形成しており、ガラス含有樹脂、合成樹脂又はゴム等の圧迫しても骨が痛くない程度の弾力性及び骨を圧迫する硬さの双方を満足させる材料から形成される。
【００３６】
前記第一及び第二フロントパッド２０、２１の身体への接触面形状が、左右の寛骨Ｂの前側を押圧し寛骨Ｂを前方外側から後方中央へ誘導可能に形成した傾斜面２４とすることによって、第一フロントパッド２０及び第二フロントパッド２１の傾斜面２４が左右の寛骨Ｂの前側の突起部分を前方から後方に押し込みやすくなり、仙腸関節Ｊのずれが是正され骨盤Ａの歪みが矯正される。
【００３７】
次に、寛骨後部圧迫部３について説明する。図３、図４及び図６に示すように、寛骨後部圧迫部３は、少なくとも左右の仙腸関節Ｊを圧迫可能な横方向の長さを有するバックフレーム８と、該バックフレーム８の内側の左側端部に配設した第一バックパッド３０及び右側端部に配設した第二バックパッド３１と、該バックフレーム８の身体側である内側に配設した該第一バックパッド３０及び第二バックパッド３１の位置のバックフレーム８を挟んだ、それぞれのバックフレーム８の外側の位置に前記２本の締付ベルト９をそれぞれ上下で別々に挿通させるベルト挿通部３６とを備えている。
【００３８】
バックフレーム８は、身体の後面に当接する正面視で帯状であり、左右のサイド部４０と中央のセンター部４１とからなる。左右のサイド部４０は、平面視で直線状や円弧状等があるがその形状は限定されないし、薄板状であるが硬質合成樹脂、硬質ゴム、アルミニウム等の非鉄金属や木材等の剛性を有する材料からなる。また、センター部４１は、正面視で帯状であり、可撓性を有する材料からなる。そして、バックフレーム８は左右のサイド部４０及びセンター部４１からなる一体型、又はセンター部４１を有さず左右のサイド部４０からなる分割型のいずれでもよい。前記センター部４１が可撓性を有することから、左右のサイド部４０が身体の外周面の曲面状の変化に追従しやすい。
【００３９】
第一バックパッド３０は前記バックフレーム８の身体側に当接する側の左側端部に配設され、第二バックパッド３１は前記バックフレーム８の身体側に当接する側の右側端部に配設される。そして、第一バックパッド３０及び第二バックパッド３１は、それぞれ正面視で少なくとも左右の仙腸関節Ｊのそれぞれ一方を圧迫可能な大きさの面積を有する四角形状、多角形状や楕円形状等の形状を有し、かつ平面視で該バックフレーム８の中心側よりも端部側を身体側に傾斜させた傾斜面３４であって、前記第一及び第二バックパッド３０、３１の身体への接触面形状が、左右の寛骨Ｂの後側を押圧し寛骨Ｂを後方外側から中央へ誘導可能に形成した傾斜面３４を形成しており、ガラス含有樹脂、合成樹脂又はゴム等の圧迫しても骨が痛くない程度の弾力性及び骨を圧迫する硬さの双方を満足させる材料から形成される。
【００４０】
前記第一及び第二バックパッド３０、３１の身体への接触面形状が、左右の寛骨Ｂの後側を押圧し寛骨Ｂを後方外側から中央へ誘導可能に形成した傾斜面３４からなることによって、第一バックパッド３０及び第二バックパッド３１の傾斜面３４が左右の寛骨Ｂの後側を身体の斜め後ろ方向から身体の中心である仙骨Ｓ側に押し込みやすくなり、仙腸関節Ｊを圧迫することによって、左右対称な仙腸関節Ｊの適合性を獲得することができ、仙腸関節Ｊのずれを是正され骨盤Ａの歪みが矯正される。
【００４１】
次に、胸郭前部圧迫部４について説明する。胸郭前部圧迫部４は、図３や図５に示すように、第三フロントパッド２２及び第四フロントパッド２３からなる。第三フロントパッド２２は前記フロントフレーム７の身体側に当接する側の左側端部に配設され、第四フロントパッド２３は前記フロントフレーム７の身体側に当接する側の右側端部に配設される。そして、第三フロントパッド２２及び第四フロントパッド２３は、それぞれ正面視で少なくとも左右の胸郭Ｆ下部の前側を圧迫可能な大きさの面積を有する、四角形状、多角形状や楕円形状等の形状を有し、かつ平面視で該フロントフレーム７の中心側よりも端部側を身体側に傾斜させた傾斜面２５であって、第三及び第四フロントパッド２２、２３の身体への接触面形状が、左右の肋骨Ｇの前側を押圧し肋骨Ｇを前方から左右に拡張させる方向に誘導可能に形成した傾斜面２５を形成しており、ガラス含有樹脂、合成樹脂又はゴム等の圧迫しても骨が痛くない程度の弾力性及び骨を圧迫する硬さの双方を満足させる材料から形成される。
【００４２】
前記第三及び第四フロントパッド２２、２３の身体への接触面形状が、左右の肋骨Ｇの前側を押圧し肋骨Ｇを前方から左右に拡張させる方向に誘導可能に形成した傾斜面２５からなることにより、第三フロントパッド２２及び第四フロントパッド２３の傾斜面２５が左右の胸郭Ｆ下部の肋骨Ｇの前側の突起部分を左右に拡張させやすくなり、胸郭Ｆ下部の左右非対称が是正され胸郭Ｆ下部の歪みが矯正される。
【００４３】
次に、胸郭後部圧迫部５について説明する。胸郭後部圧迫部５は、図３や図６に示すように、少なくとも左右の胸郭Ｆ下部の後部を圧迫可能な横方向の長さを有するバックフレーム８と、該バックフレーム８の身体側である内側の左側端部に配設した第三バックパッド３２及び右側端部に配設した第四バックパッド３３と、該バックフレーム８の身体側である内側に配設した該第三バックパッド３２及び第四バックパッド３３の位置のバックフレーム８を挟んだ、それぞれのバックフレーム８の外側の位置に前記２本の締付ベルト９をそれぞれ上下で別々に挿通させるベルト挿通部３６とを備えている。
【００４４】
バックフレーム８は、身体の後面に当接する正面視で帯状であり、左右のサイド部４０と中央のセンター部４１とからなる。左右のサイド部４０は、平面視で直線状や円弧状等があるがその形状は限定されないし、薄板状であるが硬質合成樹脂、硬質ゴム、アルミニウム等の非鉄金属や木材等の剛性を有する材料からなる。また、センター部４１は、正面視で帯状であり、可撓性を有する材料からなる。そして、バックフレーム８は左右のサイド部４０及びセンター部４１からなる一体型、又はセンター部４１を有さず左右のサイド部４０からなる分割型のいずれでもよい。前記センター部４１が可撓性を有していることから、左右のサイド部４０が身体の外周面の曲面状の変化に追従しやすい。
【００４５】
第三バックパッド３２は前記バックフレーム８の身体側に当接する側の左側端部に配設され、第四バックパッド３３は前記バックフレーム８の身体側に当接する側の右側端部に配設される。そして、第三バックパッド３２及び第四バックパッド３３は、それぞれ正面視で少なくとも左右の胸郭Ｆ下部の後部を圧迫可能な大きさの面積を有する四角形状、多角形状や楕円形状等の形状を有し、かつ平面視で該バックフレーム８の中心側よりも端部側を身体側に傾斜させた傾斜面３５であって、第三及び第四バックパッド３２、３３の身体への接触面形状が、左右の肋骨Ｇの後側を押圧し肋骨Ｇの前側が左右に拡張するように肋骨Ｇの後側を押し出すように誘導可能に形成した傾斜面３５を形成しており、ガラス含有樹脂、合成樹脂又はゴム等の圧迫しても骨が痛くない程度の弾力性及び骨を圧迫する硬さの双方を満足させる材料から形成される。
【００４６】
前記第三及び第四バックパッド３２、３３の身体への接触面形状が、左右の肋骨Ｇの後側を内側に向けて押圧し肋骨Ｇの前側が左右に拡張するように誘導可能に形成した傾斜面３５からなることにより、胸郭Ｆ下部の肋骨Ｇの前側を左右に拡張させるように胸郭Ｆ下部の後側を内側に向けて押圧することにより、胸郭Ｆ下部の左右非対対称が是正され胸郭Ｆ下部の歪みが矯正される。
【００４７】
次に、寛骨前部圧迫部２、寛骨後部圧迫部３、胸郭前部圧迫部４及び胸郭後部圧迫部５と、身体の周りに巻き付けるための身体装着具６との関連について、寛骨前部圧迫部２、寛骨後部圧迫部３、胸郭前部圧迫部４及び胸郭後部圧迫部５を装着させた組み合わせからなる姿勢矯正器１の場合について説明する。なお、他の圧迫部の組み合わせの場合はそれぞれの単独の圧迫部の動きの組み合わせと同じである。
【００４８】
まず、身体の骨盤Ａ近傍の腰部の外周を包囲する態様で該身体に装着した寛骨前部圧迫部２及び寛骨後部圧迫部３について説明する。第一ベルト巻取り機構１０の上側の締付ベルト９を巻き取る方向に操作をすると、身体の左側の第一フロントパッド２０及び第一バックパッド３０の上側が優先されて身体を締め付け、前記第一ベルト巻取り機構１０の下側の締付ベルト９を巻き取る方向に操作をすると、身体の左側の第一フロントパッド２０及び第一バックパッド３０の下側が優先されて身体を締め付け、前記第二ベルト巻取り機構１１の上側の締付ベルト９を巻き取る方向に操作をすると、身体の右側の第二フロントパッド２１及び第二バックパッド３１の上側が優先されて身体を締め付け、前記第二ベルト巻取り機構１１の下側の締付ベルト９を巻き取る方向に操作をすると、身体の右側の第二フロントパッド２１及び第二バックパッド３１の下側が優先されて身体を締め付けることができる。
【００４９】
したがって、寛骨前部圧迫部２及び寛骨後部圧迫部３を身体に装着するときに、第一フロントパッド２０、第二フロントパッド２１、第一バックパッド３０及び第二バックパッド３１の身体に対する押圧力を自在に調整することができ、寛骨前部圧迫部２及び寛骨後部圧迫部３を身体に装着した状態で足踏み、歩行又はスクワット等の簡単な体操をしたときに緩みを感じたときにその緩みを感じた部位のみの押圧力を調整することができ、常に自在な押圧力を身体に与えることができるので、仙腸関節Ｊのずれや骨盤Ａの歪みを解消させやすくなる。
【００５０】
次に、身体の胸郭Ｆ下部の外周を包囲する態様で該身体に装着した胸郭前部圧迫部４及び胸郭後部圧迫部５について説明する。前記第一ベルト巻取り機構１０の上側の締付ベルト９を巻き取る方向に操作をすると、身体の左側の第三フロントパッド２２及び第三バックパッド３２の上側が優先されて身体を締め付け、前記第一ベルト巻取り機構１０の下側の締付ベルト９を巻き取る方向に操作をすると、身体の左側の第三フロントパッド２２及び第三バックパッド３２の下側が優先されて身体を締め付け、前記第二ベルト巻取り機構１１の上側の締付ベルト９を巻き取る方向に操作をすると、身体の右側の第四フロントパッド２３及び第四バックパッド３３の上側が優先されて身体を締め付け、前記第二ベルト巻取り機構１１の下側の締付ベルト９を巻き取る方向に操作をすると、身体の右側の第四フロントパッド２３及び第四バックパッド３３の下側が優先されて身体を締め付けることができる。
【００５１】
したがって、胸郭前部圧迫部４及び胸郭後部圧迫部５を身体に装着するときに、第三フロントパッド２２、第四フロントパッド２３、第三バックパッド３２及び第四バックパッド３３の身体に対する押圧力を自在に調整することができ、胸郭前部圧迫部４及び胸郭後部圧迫部５を身体に装着した状態で呼吸、左右屈又は腕回し等の簡単な体操をしたときに緩みを感じたときにその緩みを感じた部位のみの押圧力を調整することができ、常に自在な押圧力を身体に与えることができるので、肋骨Ｇの左右非対称や胸郭Ｆ下部の歪みを解消させやすくなる。
【００５２】
本実施形態に係る姿勢矯正器１は、次のように使用することができる。なお、この姿勢矯正器１は、その使用によって骨の歪みを矯正しながら足踏み、歩行、スクワットなどの簡単な動作を行うことにより、骨や関節に歪みがない状態での運動パターンを脳と全身の筋肉に学習させて矯正を容易にする。ベルト巻取り機構がラチェット機構で、寛骨前部圧迫部２、寛骨後部圧迫部３、胸郭前部圧迫部４及び胸郭後部圧迫部５を装着させた組み合わせからなる姿勢矯正器１の場合について説明する。
【００５３】
最初に、寛骨前部圧迫部２及び寛骨後部圧迫部３を装着した姿勢矯正器１を、身体の骨盤Ａ近傍の腰部の外周を包囲する態様で該身体に装着する方法を図３や図９等により説明する。
【００５４】
まず、第一ベルト巻取り機構１０を取付プレート５２の部分でフロントフレーム７から外した状態で、当該フロントフレーム７を身体の前面側に配置すると共に、締付ベルト９を身体の背面側から前面側に回した後、第一ベルト巻取り機構１０と一体化されている取付プレート５２を係止突起５０に係合させてフロントフレーム７に取付ける。この状態でバックフレーム８は身体の背面側に位置する。
【００５５】
次に、二つの第一ベルト巻取り機構１０及び二つの第二ベルト巻取り機構１１のそれぞれのラチェットハンドル５３を適宜操作して二本の締付ベルト９を締め、これによりフロントフレーム７の第一フロントパッド２０が左側の寛骨Ｂの左側前端部を仙骨Ｓに向けて締め付けると共に、第二フロントパッド２１が右側の寛骨Ｂの右側前端部を仙骨Ｓに向けて締め付ける。この際、第一フロントパッド２０及び第二フロントパッド２１は傾斜面２４を備えているので、左右両方の寛骨Ｂを仙骨Ｓに向けて効果的に締め付けることができる。
【００５６】
また、この状態において、バックフレーム８が身体の背面に当接し、第一バックパッド３０が左側の寛骨Ｂの後端部を仙骨Ｓに向けて締め付けると共に、第二バックパッド３１が右側の寛骨Ｂの後端部を仙骨Ｓに向けて締め付ける。この際、第一バックパッド３０及び第二バックパッド３１は傾斜面３４を備えているので、左右両方の寛骨Ｂを仙骨Ｓに向けて効果的に締め付けることができる。
【００５７】
次に、胸郭前部圧迫部４及び胸郭後部圧迫部５を装着した姿勢矯正器１を、身体の胸郭Ｆ下部の外周を包囲する態様で該身体に装着する方法を図３、図１０及び図１１等により説明する。
【００５８】
まず、第一ベルト巻取り機構１０を取付プレート５２の部分でフロントフレーム７から離脱させた状態で、フロントフレーム７を身体の前面側に配置すると共に、締付ベルト９を身体の背面側から前面側に回した後、第一ベルト巻取り機構１０と一体化されている取付プレート５２を係止突起５０に係合してフロントフレーム７に取付ける。この状態でバックフレーム８は身体の背面側に位置する。身体への取付け位置は図１０に示すように胸郭Ｆの下位部Ｒ２の位置である。
【００５９】
次に、二つの第一ベルト巻取り機構１０及び二つの第二ベルト巻取り機構１１のそれぞれのラチェットハンドル５３を適宜操作して二本の締付ベルト９を締め、これによりフロントフレーム７の第三フロントパッド２２が左側の肋骨Ｇを左右方向で拡げるように締め付けると共に、第四フロントパッド２３が右側の肋骨Ｇを左右方向で拡げるように締め付ける。この際、第三フロントパッド２２及び第四フロントパッド２３は傾斜面２５を備えているので、左右両方の肋骨Ｇを左右方向で拡げるように効果的に締め付けることができる。
【００６０】
また、この状態において、バックフレーム８が身体の背面に当接し、第三バックパッド３２が左側の胸郭Ｆ下部の後端部を前側の胸郭Ｆ下部が拡がるように締め付けると共に、第四バックパッド３３が右側の胸郭Ｆ下部の後端部を前側の胸郭Ｆ下部が拡がるように締め付ける。この際、第三バックパッド３２及び第四バックパッド３３は傾斜面３５を備えているので、左右両方の胸郭Ｆ下部の前側を左右方向で拡げるように効果的に締め付けることができる。
【００６１】
図１２に示すように、使用者Ｈへの装着が完了したので、歩行、足踏みあるいはスクワットなどの軽い運動、及び、呼吸、前後屈、腕を回す等の胸郭Ｆから上の部位を使った運動を行う。
【００６２】
歩行、足踏みあるいはスクワットなどの軽い運動を行うことによって、仙骨Ｓの前部が前方から後方に押圧され、仙骨Ｓの後部が左右方向で外方向から中心方向に押圧されて仙骨Ｓの左右非対称状態が左右対称に是正され、仙腸関節Ｊのずれや骨盤Ａの歪みが解消する。
【００６３】
また、呼吸、前後屈、腕を回す等の運動を行うことによって、胸郭Ｆ下部が左右方向に拡がるようになり、図１０に示す胸郭Ｆの上位部Ｒ１が上方に動くが、胸郭Ｆの下位部Ｒ２は第三及び第四フロントパッド２２、２３で締め付けられているので上方には動かないようになって、肋骨Ｇの左右非対称が是正され、胸郭Ｆの歪みが解消する。
【００６４】
さらに、動作を続けながら緩みが締付ベルト９に発生すると、該締付ベルト９を、第一ベルト巻取り機構１０や第二ベルト巻取り機構１１によって締める。すなわち、締付ベルト９を締めた状態で動き、緩むと締めるといった操作を継続することによって骨盤Ａや胸郭Ｆ下部の歪みを矯正する。
【００６５】
なお、この姿勢矯正器１による歪み矯正は、一回あたり１０分程度で、一週間に２〜３回行うのが好ましい。通常、１〜２回程度の使用で姿勢が改善する。
【符号の説明】
【００６６】
１        姿勢矯正器
２        寛骨前部圧迫部
３        寛骨後部圧迫部
４        胸郭前部圧迫部
５        胸郭後部圧迫部
６        身体装着具
７        フロントフレーム
８        バックフレーム
９        締付ベルト
１０      第一ベルト巻取り機構
１１      第二ベルト巻取り機構
２０      第一フロントパッド
２１      第二フロントパッド
２２      第三フロントパッド
２３      第四フロントパッド
２４      傾斜面
２５      傾斜面
３０      第一バックパッド
３１      第二バックパッド
３２      第三バックパッド
３３      第四バックパッド
３４      傾斜面
３５      傾斜面
３６      ベルト挿通部
４０      サイド部
４１      センター部
５０      係止突起
５１      解除レバー
５２      取付プレート
５３      ラチェットハンドル
５４      ラチェット歯車
５５      支持ピン
Ａ        骨盤
Ｂ        寛骨
Ｓ        仙骨
Ｊ        仙腸関節
Ｆ        胸郭
Ｇ        肋骨
Ｒ１      上位部
Ｒ２      下位部
【要約】
身体の腰部や胸郭下部の外周を包囲する態様で該身体に装着し骨盤や胸郭下部の歪みを矯正する姿勢矯正器であって、左右の寛骨の前側に当接する寛骨前部圧迫部、左右の寛骨の後側に当接する寛骨後部圧迫部、左右の胸郭下部の前側に当接する胸郭前部圧迫部、及び左右の胸郭下部の後側に当接する胸郭後部圧迫部の四つの圧迫部のうちの少なくとも一つ以上の組み合わせと、二本の締付ベルトとを備えた身体の外周を包囲する態様で装着する身体装着具とを備え、寛骨前部圧迫部が寛骨を前方外側から後方中央へ誘導可能に形成した傾斜面からなり、寛骨後部圧迫部が寛骨を後方外側から中央へ誘導可能に形成した傾斜面からなり、胸郭Ｆ前部圧迫部が肋骨を前方から左右に拡張させる方向に誘導可能に形成した傾斜面からなり、胸郭後部圧迫部が肋骨の前側が左右に拡張するように誘導可能に形成した傾斜面からなり、それぞれ単独で身体への押圧調整が可能な姿勢矯正器。【図１】
0005657837.tif 000002
【図２】
0005657837.tif 000003
【図３】
0005657837.tif 000004
【図４】
0005657837.tif 000005
【図５】
0005657837.tif 000006
【図６】
0005657837.tif 000007
【図７】
0005657837.tif 000008
【図８】
0005657837.tif 000009
【図９】
0005657837.tif 000010
【図１０】
0005657837.tif 000011
【図１１】
0005657837.tif 000012
【図１２】
0005657837.tif 000013